(57)【特許請求の範囲】
【請求項１】
ユーザがフリーハンドで携帯できる通信システムであって、
該通信システムが、
前記通信システムの周辺からの信号を受信し、受信された信号をデジタルデータに変換する１つまたは複数の信号受信モジュールと、
デジタルデータを、前記通信システムの周辺に発信できるような信号であり、少なくともその信号の一部をユーザが自分の感覚器官で知覚できるような信号に変換する１つまたは複数の信号発信モジュールと、
それによって制御ユニットにおいて前記モジュールからの無線機器インターフェースデータが受信可能であり、それによって前記制御ユニットが前記無線機器インターフェースデータを選択的に前記モジュールに伝送可能である、機器無線インターフェースを有し、
ユーザによって前記通信システムに動的に付加又は除去される前記モジュールを自動的に登録又は抹消するためのレジスタ手段とをさらに備える制御ユニットとを含み、
前記制御ユニットは、少なくともいくつかの信号受信モジュールをデータ源として選択すること、少なくともいくつかの信号発信モジュールをデータシンクとして一定の信号受信モジュールに割り当てることを設定可能な構成一覧が記憶された記憶装置をさらに含み、
前記制御ユニットがさらに、ルーティング手段と、無線機器インターフェースを介して受信されたデータを前記ルーティング手段へと伝達させる手段とを含み、前記ルーティング手段が前記構成一覧の指示に従って特定の信号受信モジュールから受信されるデータを前記特定の信号受信モジュールに割り当てられた特定の信号発信モジュールへと転送させることを特徴とする通信システム。
【請求項２】
前記制御ユニットが、データを信号発信モジュールへ伝送する前に該データを処理するための機能ユニットを含み、前記構成一覧において、前記特定の信号発信モジュールへとデータを伝送する前に前記特定の信号受信モジュールから受信されたデータを処理する機能ユニットのうちの少なくとも１つを選択することが、構成可能であることを特徴とする請求項１に記載の通信システム。
【請求項３】
前記機能ユニットは、テキストデータから合成音声を作るための音声合成ユニット、話されたテキストを認識するための言語認識ユニット、画像オブジェクトを認識するための画像処理ユニット、ユーザ仕様のデータフィルタ、及び信号周波数フィルタ、信号周波数変換ユニットのうちの少なくとも１つが含まれることを特徴とする請求項２に記載の通信システム。
【請求項４】
前記制御ユニットは、該制御ユニットにより信号受信モジュールから受信された命令データを認識し、該認識した命令に従って事前規定された機能ブロックの実行を開始するための命令ユニットを含み、その中に含まれる命令を前記命令ユニットにより検査されなければならないデータを有する前記信号受信モジュールを規定可能なように、前記制御ユニットが設定されることを特徴とする請求項１に記載の通信システム。
【請求項５】
前記認識された命令が、少なくとも機器無線インタフェース又は赤外線インタフェースのうちの１つを経て前記通信システムの外の外部ユニットに転送されるように、前記機能ブロックの少なくとも１つが構成されていることを特徴とする請求項４に記載の通信システム。
【請求項６】
請求項１に記載の通信システムが、取り外し可能な記憶装置ユニットをさらに含み、前記取り外し可能な記憶装置ユニットに記憶された信号発信モジュールの少なくともいくつかが、個別の前記モジュールのオペレーションに影響を与えるモジュールパラメータと、前記モジュール間の相互作用を決定する又はその中に含まれる命令を前記命令ユニットにより検査されなければならないデータを有する前記信号受信モジュールを特定する構成パラメータのうちの少なくとも１つであることを特徴とする請求項１に記載の通信システム。
【請求項７】
少なくとも前記モジュールのいくつかは、モジュールパラメータを記憶するためのデータ記憶装置を含み、該モジュールパラメータは各モジュールのオペレーションに影響し、前記データ記憶装置は、機器無線インタフェースを介して制御ユニットによりアクセス可能なことを特徴とする請求項１に記載の通信システム。
【請求項８】
信号受信モジュールには、光信号を受信するためのビデオセンサ、無線信号を受信するための無線受信機、赤外線信号を受信するための赤外線受信機、オーディオ信号を受け入れるためのマイクロホン、機械的圧力を検出するための圧力センサ、ユーザの少なくとも１つの目の現在の視線を特定するための目位置決定ユニットおよびユーザの身体部分の現在の位置を特定するための１つまたは複数の身体位置決定ユニットが含まれることを特徴とする請求項１に記載の通信システム。
【請求項９】
移動無線網からの無線信号、特にＧＳＭ網および／またはＵＭＴＳ網の無線信号、および／または放送システムの無線信号、特にＤＡＢおよび／またはＤＶＢシステムの無線信号を受信するための無線受信機が設けられていることを特徴とする請求項８に記載の通信システム。
【請求項１０】
ビデオセンサには、光信号を捕捉するために少なくとも１つの超小型電子技術スキャナが含まれることを特徴とする請求項８に記載の通信システム。
【請求項１１】
信号発信モジュールには、情報をユーザのために視覚的に再現するための表示ユニット、情報をユーザのために聴覚的に再現するための電気・音響変換機、ユーザのために事前規定された事象を機械的振動で表すための振動ユニット、少なくとも無線送信機、赤外線送信機のうちの１つが含まれることを特徴とする請求項１に記載の通信システム。
【請求項１２】
表示ユニットには、光信号を直接、ユーザの網膜に投射するためのバーチャルな網膜表示ユニットが含まれることを特徴とする請求項１１に記載の通信システム。
【請求項１３】
無線送信機が移動無線網、特にＧＳＭ網および／またはＵＭＴＳ網での通信のために設けられていることを特徴とする請求項１２に記載の通信システム。
【請求項１４】
少なくとも１つの信号変換モジュールが含まれ、信号受信モジュールおよび信号発信モジュールは相互に信号処理ユニットを介して接続されており、信号処理ユニットは前記信号受信モジュールからの電気・音響信号を、信号変換モジュールのモジュールパラメータに基づいて処理し、前記信号発信モジュールに転送することを特徴とする請求項１に記載の通信システム。
【請求項１５】
信号変換モジュールは聴覚機器を含み、モジュールパラメータはユーザ特有の聴覚パラメータを含むことを特徴とする請求項１４に記載の通信システム。
【請求項１６】
信号変換モジュールは視覚機器を含み、およびモジュールパラメータがユーザ特有の視覚パラメータを含むことを特徴とする請求項１４に記載の通信システム。
【請求項１７】
通信システムのための制御ユニットであって、
該通信システムおよび制御ユニットはユーザがフリーハンドで携帯でき、
該通信システムは、
前記通信システムの周辺からの信号を受信し、受信された信号を電気／光信号及びデジタルデータに変換する１つまたは複数の信号受信モジュールと、
前記デジタルデータを、前記通信システムの周辺に発信できるような信号であり、少なくともその信号の一部をユーザが自分の感覚器官で知覚できるような信号に変換する１つ
または複数の信号発信モジュールと、
少なくとも１つの機器無線インターフェースと、ユーザにより前記通信システムに動的に付加又は除去される前記モジュールを自動的に登録又は抹消するためのレジスタ手段とをさらに備える制御ユニットとを含むことを特徴とする、通信システムであり、
前記制御ユニットは、
少なくともいくつかの信号受信モジュールをデータ源として選択すること、少なくともいくつかの信号発信モジュールをデータシンクとして選択された信号受信モジュールに割り当てること、を設定可能な構成一覧が記憶された記憶装置を含み、
前記制御ユニットがさらに、ルーティング手段と、無線機器インターフェースを介して受信されたデータを前記ルーティング手段へと伝達させる手段とを含み、前記ルーティング手段が前記構成一覧の指示に従って特定の信号受信モジュールから受信されるデータを前記特定の信号受信モジュールに割り当てられた特定の信号発信モジュールへと転送させることを特徴とする通信システム。
【請求項１８】
前記制御ユニットが、データを信号発信モジュールへ伝送する前に該データを処理するための機能ユニットを含み、前記構成一覧において、前記特定の信号発信モジュールへとデータを伝送する前に前記特定の信号受信モジュールから受信されたデータを処理する機能ユニットのうちの少なくとも１つを選択することが、構成可能であることを特徴とする請求項１７に記載の制御ユニット。
【請求項１９】
機能ユニットは、テキストデータから合成音声を作るための音声合成ユニット、話されたテキストを認識するための言語認識ユニット、画像オブジェクトを認識するための画像処理ユニット、ユーザ仕様のデータフィルタ、及び信号周波数フィルタ又は信号周波数変換ユニットのうちの少なくとも１つが含まれることを特徴とする請求項１８に記載の制御ユニット。
【請求項２０】
制御ユニットは、該制御ユニットにより信号受信モジュールから受信された命令データを認識し、該認識した命令に従って事前規定された機能ブロックの実行を開始するための命令ユニットを含み、その中に含まれる命令を前記命令ユニットにより検査されなければならないデータを有する前記信号受信モジュールを規定可能なように、前記制御ユニットが設定されることを特徴とする請求項１７に記載の制御ユニット。
【請求項２１】
認識された命令が、少なくとも機器無線インタフェース又は赤外線インタフェースのうちの１つを経て通信システムの外の外部ユニットに転送されるように、前記機能ブロックの少なくとも１つが構成されていることを特徴とする請求項２０に記載の制御ユニット。
【請求項２２】
個別の前記モジュールのオペレーションに影響を与えるモジュールパラメータと、少なくとも１つの前記モジュール間の相互作用を決定する又はその中に含まれる命令を前記命令ユニットにより検査されなければならないデータを有する前記信号受信モジュールを特定する構成パラメータのうちの少なくとも１つを保存するように構成されている取り外し可能な記憶装置ユニットをさらに含むことを特徴とする請求項１７に記載の制御ユニット。
【請求項２３】
前記取り外し可能な記憶ユニットが、
一義的なユーザ識別のための手段を備えることを特徴とする請求項２２に記載の制御ユニット。
【発明の詳細な説明】
【０００１】
本発明は、通信システムおよびそれに適した制御ユニットに関する。特に、本発明は、通信システムと、それに適した、ユーザがフリーハンドで携帯できる制御ユニットに関し、通信システムは、１つまたは複数の信号受信モジュールを含み、それらのモジュールは通信システムの周辺からの信号を受信し、電気信号または光信号および／またはデジタルデータに変換し、かつ、通信システムは１つまたは複数の信号発生モジュールを含み、それらのモジュールは電気信号または光信号および／またはデジタルデータを、ユーザが自分の感覚器官で知覚できる信号に、または通信システムの周辺に発信できる信号に変換する。
【０００２】
ユーザがフリーハンドで携帯できる通信システムはすでに自由に使用されている。例えば、取り外し可能であり、携帯バンドに取り付けられており、接点固定されたケーブルインタフェースを介して、ヘッドホン／マイクロホンセットと接続されている携帯電話を含む通信システムがある。このフリーハンドで使用できる通信システムでは、マイクロホンと携帯電話の無線受信機は信号受信モジュールであり、これは通信システムの周辺からのオーディオ信号または無線信号を受信し、他方、携帯電話のヘッドホンと無線送信機は信号発信モジュールであり、このモジュールはユーザの感覚器官に向けてオーディオ信号を、または通信システムの周辺に無線信号を発信する。
【０００３】
特許出願ＤＥ１９７５５２６４Ａ１号には携帯できるコンピュータシステムが記載されており、これはユーザによって、話された音声で、および／または身体の動きで制御される。ＤＥ１９７５５２６４Ａ１号に記載のコンピュータシステムには、ヘルメットに取り付ける表示ユニットが含まれ、これはガラスファイバケーブルを介して処理コンピュータおよび／またはその他の活発化構成要素および信号構成要素と接続されている。ＤＥ１９７５５２６４Ａ１号で公開されている理論に従って、離れたコンピュータをヘルメット的な構成要素と無線で接続することが可能である。ＤＥ１９７５５２６４Ａ１号に記載の、コンピュータシステムの構成要素をガラスファイバで接続することの長所は、磁気的干渉および静電気の干渉から守られることである。その反面、ユーザが携帯するシステム構成要素の接続のためのケーブル回線が不便であり、または面倒に感じられる。例えば、ケーブルが衣服の中に入ったり、またはその他の物体にからまることがあるためである。複数の構成要素を接続する場合、複数のケーブルが必要になり、そうした欠点が顕著になる。
【０００４】
特許出願ＥＰ７６７４１７Ａ１号にはフリーハンドで携帯・操作できるコンピュータシステムが記載されており、これはユーザによって、話される音声、脳波、目の動きおよび／または身体の動きで制御される。ＥＰ７６７４１７Ａ１号に記載のコンピュータシステムは、実質的には１つのヘッドセットと１つの携帯バンドに固定した局部的なコンピュータで構成され、これはコードのないインタフェース、特に赤外線インタフェースで、ケーブルなしでヘッドセットに接続されている。離れたコンピュータとの通信に関して、ＥＰ７６７４１７Ａ１号には、局部的なコンピュータと離れたコンピュータとの間の接続を無線トランシーバまたはセルラー携帯電話で実現できると記載されている。ＥＰ７６７４１７Ａ１号に記載の、制御された赤外線光を使用した、ヘッドセットと局部的なコンピュータとの接続には、ケーブル指向の接続に見られる欠点がないこと、および離れた場所からの不当な聴取に対して安全であるという長所がある。他方では、赤外線インタフェースは、通信相手相互間に干渉のない伝送区間を必要とするので、局部的なコンピュータを、例えば、光を通さない衣服をつけているなら携帯できないという短所があり、これをユーザは制限された欠点と感じる。
【０００５】
文献ＸＰ−０００７８４００２のＨａａｒｔｓｅｎ  Ｊ．他著の「『ブルートゥース，理念、目標および構造』、モバイルコンピューティングと通信論評、ＵＳ，ＡＣＭ，Ｎｅｗ  Ｙｏｒｋ，２巻、４号、１９９８、３８〜４５ページ」、およびＸＰ−０００７８３２４９のＨａａｒｔｓｅｎ  Ｊ．著の「『Ｂｌｕｅｔｏｏｔｈ−ａｄｈｏｃ用の世界無線インタフェース、無線接続』、エリクソン論評、ＳＥ、Ｅｒｉｃｓｓｏｎ，Ｓｔｏｃｋｈｏｌｍ、３号、１９９８、１１０〜１１７ページ」に、いわゆるブルートゥース無線インタフェースについて記述されている。ブルートゥース無線インタフェースは、ラップトップコンピュータ、携帯電話、ヘッドホン・マイクセットまたはコンピュータマウスを、データ通信のために短距離で接続することを可能にする。ブルートゥース技術を使用すれば、機器は、相互に到達距離内にあるならば、自動的に、動的に接続される。ブルートゥース技術を使用すれば、最大で８個の機器、つまり１個の親機および７個の子機を接続できる。ブルートゥースでは子機の役目をもつ機器は、同時に複数のＰｉｃｏｎｅｔに属すが、ある一定の時間には１つのＰｉｃｏｎｅｔでのみアクティブになれる。
【０００６】
文献ＸＰ−００２１４１０７５の「『Ｊｉｎｉ技術と新ネットワーク技術』、Ｓｕｎ  Ｍｉｃｒｏｓｙｓｔｅｍｓ  ，Ｏｎｌｉｎｅ（ｈｔｔｐ：ｗｗｗ．ｓｕｎ．ｃｏｍ／ｊｉｎｉ／ｗｈｉｔｅｐａｐｅｒｓ／ｔｅｃｈｎｏｌｏｇｉｅｓ．ｐｄｆ）１９９９，１〜３ページ」にはＪａｖａに基づくＪｉｎｉ技術が記述されており、これは、ブルートゥースのようなネットワークプロトコルで、個人用携帯型情報端末（ＰＤＡ），テレビ、デジタルカメラ、ファックス、または携帯電話のような２つの電子機器の相互利用の開発が可能になる（ＪａｖａおよびＪｉｎｉはＳｕｎ  Ｍｉｃｒｏｓｙｓｔｅｍｓ社の登録商標である）。
【０００７】
本発明の課題は、携帯可能であり、さらに良好な新しい通信システムと、それに適した携帯可能な制御ユニットを提案することであり、それによって、特に、通信システムの構成要素としての信号受信モジュールと信号発信モジュールの柔軟な構成およびこれらの構成要素のケーブルのない接続が可能になる。
【０００８】
上記目的は本発明に従って、特に独立請求項の要素によって達成される。その他の有利な実施形態は、従属請求項および明細書から明らかになるだろう。
【０００９】
上記目的は本発明によって達成される。つまり、フリーハンドで携帯可能な通信システムの信号を受信し、電気信号および／または光信号および／またはデジタルデータに変換する、通信システムの信号受信モジュールと、電気信号および／または光信号および／またはデジタルデータをユーザが自分の感覚器官で知覚できる信号に、または通信システムの周辺に発信できる信号に変換する、通信システムの信号発信モジュールとが、機器無線インタフェースを利用すること、および通信システムには、少なくとも１つの機器無線インタフェースを有する少なくとも１つの制御ユニットが包まれ、この制御ユニットは、上記モジュール、つまり信号受信モジュール、および信号発信モジュールからのデータが機器無線インタフェースを経て制御ユニットに受け付けられるように調整されているので、データは制御ユニットから機器無線インタフェースを経て選択的に、上記モジュールに伝送され、上記モジュールを動的に通信システムに付加し、通信システムから離すことも可能になることによって達成される。後のほうに挙げた特徴を実現するために、制御ユニットにはレジスタ手段が含まれるので、ユーザは動的に通信システムに付加するモジュール、または通信システムから離れている上記モジュールを、自動的に登録するか、または抹消できる。信号受信モジュールと信号発信モジュールを、機器無線インタフェースで、上記モジュールの動的な登録のための自動レジスタ手段を含む制御ユニットに接続することの長所は、このような構成要素（モジュールおよび制御ユニット）を無接点で、ケーブルを使用せずに、および、干渉のないことが不可欠の光学的接触なしで、柔軟に設定できる通信システムに統合できることである。その通信システムは特に移動式であり、モバイルでも導入できる。その場合、柔軟性が以下の点に見られる。つまり、機器無線インタフェースを利用できるモジュール、特に移動式の携行可能なモジュールを、さらなる出費なしで、ユーザが通信システムに動的に付加するか、または通信システムから動的に離すことができ、ユーザは関係する時点で通信システムの機能性について希望することができ、またはそのモジュールを自由に利用できる点である。ヘッドセットに統合されていない構成要素（モジュールおよび制御ユニット）はユーザが、例えば、適当な携帯バンドで衣服の上または下に、または１つまたは複数のポケットに入れて携行でき、特にモバイルで利用でき、特別の形状、例えば、腕時計の形の制御ユニット、または指定された身体部分に取り付けるような、例えば、身体の動き／位置を受け入れるような信号受信モジュールも可能である。制御ユニットからのデータが機器無線インタフェースで上記のモジュールに選択的に伝送されることにより、データを特別のモジュールに、特別のモジュール群に、または通信システムの全モジュールに伝送することが可能になる。
【００１０】
信号受信モジュールに関して考えられる例として、光信号を受信するためのビデオセンサ、無線信号、例えば、移動無線網、特にＧＳＭ網および／またはＵＭＴＳ網の無線信号を受信するための無線受信機、および／または放送システム、特にＤＡＢおよび／またはＤＶＢシステムの無線信号を受信するための無線受信機、赤外線信号を受信するための赤外線受信機、オーディオ信号を受信するためのマイクロホン、機械的な圧力を検出するための圧力センサ、ユーザの少なくとも１つの目の実際の視線方向を定めるための目位置特定ユニットおよびユーザの身体部分の実際の位置を定めるための身体部分位置特定ユニットを挙げねばならないが、これですべてではない。
【００１１】
信号発信モジュールに関して考えられる例としては、情報をユーザに視覚的に再現するための表示ユニット、情報をユーザが聴取可能な形で再現するための電気・音響変換機、ユーザのために規定された事象を機械的振動によって表すための振動ユニット、無線送信機、例えば、移動無線網、例えば、ＧＳＭ網、および／またはＵＭＴＳ網での通信のための無線送信機、および赤外線送信機を挙げねばならない。
【００１２】
ここで確認すべきことは、いくつかの信号受信モジュールと信号発信モジュール、例えば、マイクロホン、ヘッドホンと表示ユニット、または表示ユニットと目位置特定ユニット、または無線送信機と無線受信機、またはビデオセンサと表示ユニットを、１つの共通の装置に、例えば、ヘッドセットに組合せることができ、モジュールのために、例えば、共通の機器無線インタフェースおよび／または共通の給電ユニットを装置内に設定できることである。
【００１３】
本発明に従って、制御ユニットは、手段、例えば、プロセッサ、プログラム用の記憶装置およびその中に記憶され、プロセッサにおいて実行可能なプログラムユニットを含むので、制御ユニットで一定の信号受信モジュールによって受け付けられるデータが、一定の信号受信モジュールに割り当てられた信号発信モジュールに送られる。その際、少なくともいくつかの信号受信モジュールの特定と、少なくともいくつかの信号発信モジュールの、一定の信号受信モジュールへの割り当てを、ユーザが構成できるように制御ユニットは調整されている。ユーザによって信号受信モジュールを信号発信モジュールへ割り当てることの利点、および、例えば、信号受信モジュールによって受信されたデータを、こうした割り当てに応じて機器無線インタフェースで送ることの利点は、別々のモジュールをユーザによって（または記憶された基準値に従って）、協働作用のために柔軟に、相互接続できることである。それゆえ信号受信モジュール、例えば、携帯電話の無線受信機で受信されたデータを、機器無線インタフェースと制御ユニットを経て無接点で信号発信モジュールに送ることができる。例えば、データの種類とは無関係にオーディオデータをヘッドホンへ送ること、および／またはテキストデータを表示ユニットに送ることが可能である。
【００１４】
好適な実施形態では、制御ユニットは機能ユニットを含むので、データは信号発信モジュールに伝送される前に処理され、少なくともいくつかの機能ユニットの活発化、不活発化、および／または機能の仕方をユーザが設定できる。データを信号発信モジュールに送る前に、機能ユニットによってデータを処理することにより、ほぼ無制限の用途が可能になり、特に、さまざまなデータまたは信号の種類に関連するモジュールを協働作用のために相互連結できるようになる。
【００１５】
機能ユニットに関して考えられる例は、テキストデータから合成音声を生成するための音声合成ユニット、話されたテキストを認識するための音声認識ユニット、画像オブジェクトを認識するための画像処理ユニット、ユーザ特有のデータフィルタ、信号周波数フィルタ、および／または信号の周波数スペクトル、またはその信号に対応するデータをスライドする信号周波数変換ユニットを挙げねばならないが、これですべてではない。
【００１６】
好適な実施形態では、制御ユニットは命令ユニットを含むので、制御ユニットで信号受信モジュールによって受け付けられるデータは、命令として認識され、認識された命令に応じて、規定された機能ブロックの実行が準備される。制御ユニットは、信号受信モジュールをユーザが決めることができるように調整されており、信号受信モジュールのデータが内包する命令は、命令ユニットによって検査される。信号受信モジュールのデータを分析し、内包されている命令、特にユーザ命令を認識できる命令ユニットの長所は、存在する信号受信モジュールに応じて複数の（ユーザ）インタフェースを命令の入力のために利用できることと、ユーザが命令入力のために使用する適切な信号受信モジュールはユーザによって決められることである。命令ユニットは、例えば、音声認識モジュールを使用すればマイクロホンに話された命令を認識できる。または命令ユニットは制御ユニットで目位置特定ユニットによって受け付けられる実際の視線方向に基づく命令を認識できる。または信号受信モジュールによってマニュアルで操作要素を使用して入力される命令を認識できる。または制御ユニットで身体部分位置特定ユニットによって受け付けられるユーザの特定の身体部分の実際の位置に基づいて命令を認識できる。
【００１７】
ある実施形態では、機能ブロックの１つは、認識された命令が機器無線インタフェースおよび／または赤外線インタフェースを介して、通信システムの外の外部ユニットに送られ、それによって通信システムを、例えば、対応して設けられている通信システムの外の外部ユニットを制御するために利用することが可能になるように配置されている。
【００１８】
ある実施形態では、通信システムは取り外し可能な記憶装置ユニット、例えば、チップカードを含み、その中に、上記個々のモジュールのオペレーションに影響するモジュールパラメータおよび／または、上記モジュール間の相互動作を決め、および／または信号受信モジュールを識別する構成パラメータが記憶されている。それらのモジュールのデータの内包する命令は、命令ユニットによって検査される。これらのモジュールパラメータと構成パラメータを選択して、または追加して、通信システムの固定したデータ記憶装置、特に制御ユニットの中に記憶させることもできる。取り外し可能な記憶装置ユニットに、明白にユーザ識別するための手段を設けることもできる。例えば、取り外し可能な記憶装置ユニットを明白なユーザＩＤを持つＩＤユニット、特にＳＩＭ（加入者ＩＤモジュール）カードにすることができる。ＩＤユニットは、例えば、携帯電話の組み合わされた信号受信および発信モジュールとして機器無線インタフェースで制御ユニットと接続されている構成要素になり得るか、または制御ユニットの構成要素になり得る。ＩＤユニットの長所は、フリーハンドで携帯できる通信システムを個人的な通信システムとして構成し、使用することを可能にすることであり、その場合、個人的な上記のモジュールのオペレーションに影響するモジュールパラメータ、および／または、２つまたはそれ以上の上記モジュール間の相互作用を決める構成パラメータが、ＩＤユニットに記憶される。
【００１９】
ある実施形態では、上記モジュールの少なくともいくつかは、関連モジュールのオペレーションに影響する上記のモジュールパラメータを記憶するためのデータ記憶装置を含み、その場合、制御ユニットのためのデータ記憶装置には機器無線インタフェースで安全にアクセスできるので、モジュールパラメータは間違って、または不当に、通信システムの外の別の外部無線ユニットによって占有されることは不可能になる。モジュールパラメータは、例えば、ユーザによって、使用可能なユーザインタフェースの１つを介して入力されるか、または無線受信機を使用して、例えば、移動無線網を通じて、通信システムの外の適切な外部のサービスユニットによって受け付けられ、制御ユニットによって関連モジュールへ伝送されることが可能である。
【００２０】
ある実施形態では、前述のビデオセンサには光信号を把握するための、少なくとも１つの超小型電子技術（ＭＥＭ）スキャナが含まれる。超小型電子技術スキャナの長所は、特に、光信号を直接投射するために網膜にも使用できることである。前述の表示ユニットは、ある実施形態では、バーチャルな網膜の表示ユニットを含み、これは少なくとも１つの超小型電子技術キャナが基礎になっており、光信号は直接ユーザの網膜に投射される。
【００２１】
ある実施形態では、通信システムには少なくとも１つの信号変換モジュールが含まれ、この信号変換モジュールでは、信号受信モジュールと信号発信モジュールが信号処理ユニットを介して相互に接続されており、信号処理ユニットは、前述の信号受信モジュールからの電気信号および／または光信号を、信号変換モジュールのモジュールパラメータに基づいて処理し、前述の信号発信モジュールに送る。信号変換モジュールおよびそのモジュールパラメータの例として、聴覚機器とユーザ特有の聴覚パラメータおよび特別の視覚機器、特に視覚を補正し、視覚支援する視覚機器、例えば、光信号を赤外線領域から目に見える光信号に変換する夜間視覚機器とユーザ特有の視覚パラメータを挙げねばならないが、これですべてではない。
【００２２】
ここで確認しなければならないことは、本発明は、本発明の通信システムのほかにこの通信システムを実現するための制御ユニットにも関するということである。
以下に、本発明の１つの実施形態を例を用いて説明する。例は添付の図面において図式化されている。
【００２３】
図１の記号１は、モバイルであって、ユーザがフリーハンドで携帯できる通信システムを示し、この中には制御ユニット２、および複数の信号受信モジュール３，４，５１，６１，６５，７１，８１，８２，８３，８４、および複数の信号発信モジュール５２，６２，７２，９１，９２，９３が含まれている。信号受信モジュール３，４，５１，６１，６５，７１，８１，８２，８３，８４になるのは、通信システム１の周辺からの信号を受信し、電気信号および／または光信号に、および／またはデジタルデータに変換するモジュールである。信号発信モジュール５２，６２，７２，９１，９２，９３になるのは、電気信号および／または光信号、および／またはデジタルデータを、ユーザが自分の感覚器官で知覚できる信号に、または通信システム１の周辺に発信できる信号に変換するモジュールである。信号受信モジュールと信号発信モジュールをまとめる上位概念として、以下では、モジュールという概念を使用する。
【００２４】
図１に示すように、モジュール３，４，５１，６１，６５，７１，８１，８２，８３，８４，５２，６２，７２，９１，９２，９３と制御ユニット２の相互間で、データが無接点の機器無線インタフェース２１を介して交換される。データ交換は基本的に双方向で行えるが、いくつかのモジュールを単方向データ伝送のためにのみ配置することも可能である。例えば、簡単に作れる信号発信モジュールに、制御ユニット２からのデータを機器無線インタフェース２１を介して受信するための無線受信機を付けること、または簡単に作れる信号受信モジュールに、制御ユニット２へのデータを機器無線インタフェース２１を介して伝送するための無線送信機を付けることが可能である。信号受信モジュールと信号発信モジュールを共通の装置に組み込むこともできる。例えば、無線受信機５１と無線送信機５２を、移動無線網５４、例えば、ＧＳＭ網またはＵＭＴＳ網、または、その他の、例えば、衛星ベースの移動無線網に関して、移動無線機器５、特に携帯電話に統合することが可能である。共通の装置に組み込むことのできる信号受信モジュールと信号発信モジュールは、例えば、共通の機器無線インタフェース２１と共通の給電ユニットを使用できる。信号受信モジュールと信号発信モジュールのための給電ユニットは、例えば、従来のバッテリおよび／またはソーラーセルを含む。それは、例えば、制御ユニット２によって、定義された命令で、機器無線インタフェース２１を介して選択的に省エネのスタンバイ状態からオンになるか、またはオンになった状態からスタンバイ状態になり得る。図１には示されていないが、制御ユニット２にいくつかの信号受信モジュールおよび／または信号発信モジュールが統合されるような制御ユニット２にすることもできるので、こうした直接統合されるモジュールに関して機器無線インタフェース２１は設けられない。
【００２５】
機器無線インタフェース２１は、好適に標準化された機器無線インタフェース、例えば、高周波の無線インタフェース、特にいわゆるブルートゥース・インタフェースであり、これは、例えば、２．４ＧＨｚで動作し、本発明の出願時には、例えば、インターネットのサイト“ｗｗｗ．ｂｌｕｅｔｏｏｔｈ．ｃｏｍ”に記載されていた。図１に象徴的に示されている機器無線インタフェース２１（および赤外線インタフェース２５）には、ＩＳＯ（国際標準化機構）が特殊化したＯＳＩ（Ｏｐｅｎ  Ｓｙｓｔｅｍｓ  Ｉｎｔｅｒｃｏｎｎｅｃｔｉｏｎ）リファレンスモデルに沿った、関連する機器無線インタフェース（または赤外線インタフェース）を実現するための必要なハードウェアとソフトウェア構成要素が含まれる。関連する機器無線インタフェースの種類および／または伝送容量に応じて、制御ユニットに複数の機器無線インタフェース、例えば、一定の信号発信モジュールの別々の左チャネルと右チャネルのための別個の機器無線インタフェース、例えば、ユーザの左目、右目のための表示ユニット、またはユーザの左耳と右耳のための電気・音響変換器を設けることは有利である。
【００２６】
制御ユニット２を備えているユーザは、自分の個人的通信システム１を柔軟に構成でき、１つまたは複数の信号受信モジュールおよび／または信号発信モジュールを含む装置を動的に通信システム１に付加するか、または通信システム１から取り外す。フリーハンドで携帯できる制御ユニット２をユーザは身体につけて持ち運ぶ。たとえ携帯バンドにつけて、服のポケットに入れて、または適当な取り付け手段で身体部分に、例えば、腕時計にして手首につける。追加モジュールは通信システム１に付加し、制御ユニット２に関して述べたように、ユーザが持ち運び、制御ユニット２のレジスタ手段によってレジスタユニット２２が登録される。制御ユニット２には、タイプに応じて、少なくとも１つのプロセッサと、そのプロセッサにアクセスでき、制御ユニット２のさまざまな機能を実行するために必要なデータとプログラムユニットを記憶するための１つの記憶装置が含まれる。プログラムユニットとして実現されるブロックと機能ユニットは基本的にはハードウェア的に実現できる。制御ユニット２を、ケース、給電装置および、場合によっては独自の操作要素と表示装置を有する独立の装置にすることを選択して、制御ユニット２を別の装置、特に別のモバイルの装置、例えば、携帯電話に組み込むことも可能である。
【００２７】
レジスタユニット２２は、例えば、制御ユニット２の記憶装置に記憶され、制御ユニット２のプロセッサで実行されるプログラムユニットである。双方向の機器無線インタフェース２１を利用できる特別のモジュールは制御ユニット２で登録できる。レジスタユニット２２のレジスタプロセスは、例えば、ユーザの命令によって、制御ユニット２がオンになると自動的に、および／または定期的に、レジスタユニット２２によって初期化できる。場合によってレジスタユニット２２は、信号受信モジュールおよび／または信号発信モジュールのプレゼンスを検証し、および／または登録するために、機器無線インタフェース２１のサービスおよび／または情報を利用する。制御ユニット２から機器無線インタフェース２１を介して放射される適切なメッセージによって、モジュールに、機器無線インタフェース２１を介して自己認定することを要求できる。すでに登録されたモジュールは、制御ユニット２から機器無線インタフェース２１を介して、自己のプレゼンスを確認するように要求されることがある。これは、例えば、制御ユニット２をオンにすると、および／または定期的に、および／またはモジュールに応じて実行される。レジスタプロセスは、他の実施形態ではモジュールによって準備でき、それらのモジュールは自発的に、例えば、関連するモジュールをオンにする際に、および／または定期的に、制御ユニット２に自己のプレゼンスを機器無線インタフェースを介して通知する。ユーザが携帯していないモジュールが間違って登録されることを避けるために、登録をユーザが確認しなければならないように設定できる。ユーザと制御ユニット２相互の対話、特に基本オペレーションに関する対話は、追加モジュールの登録のように、例えば、簡単な操作要素（図示せず）を使用して、例えば、押しボタンで、および、表示装置（図示せず）、例えば、ＬＣＤ表示装置を使用して実行できる。基本的にユーザと制御ユニット２の対話は適切な信号受信モジュールと信号発信モジュールを介して実行できる。これについては制御ユニット２の命令ユニット２４に関連して後で説明する。
【００２８】
通信システム１のモジュールは、レジスタユニット２２によってモジュール一覧２３１に登録される。使用される機器無線インタフェース２１に応じて、１つのモジュールに関して、一時的であって、通信システム１の中では明白なモジュール識別子、および／または永続的なモジュール識別子、例えば、明白な機器番号が登録される。関連するモジュールから、登録の際に、その他のモジュール特有の指示をレジスタユニット２２に送り、モジュール一覧２３１に登録することもできる。制御ユニットには、アクセス可能なモジュールタイプに関するモジュール特有の指示がすでに記憶されていることもあり、それはレジスタユニット２２によって、モジュールが受け付けたモジュールタイプ識別子に基づいて特定され、関連するモジュールに関してはモジュール一覧２３１に登録される。ただし、モジュール特有の指示はユーザが入力し、レジスタユニット２２によってモジュール一覧２３１に登録することもできる。モジュール特有の指示の例として、ここではモジュールの１つ（または複数）のファンクションタイプ、サポートされるデータの種類、ファイルフォーマット、モジュール圧縮方法およびモジュールの構成可能なパラメータを挙げねばならないが、これですべてではない。設定可能なモジュールパラメータによって、関連するモジュールのオペレーションが、ユーザ特有の影響を受けることもある。モジュール一覧２３１では、制御ユニット２によって、通信システム１のモジュールに関する状態情報が管理される。
制御ユニット２で、機器無線インタフェース２１、赤外線インタフェース２５を介して受け付けられるデータ、または制御ユニット２に統合されている信号受信モジュールによって、例えば、先に述べたが、操作要素（図示せず）または赤外線送信機・赤外線受信機２５によって受け付けられるデータは、ルーティングユニット２６に送られる。ルーティングユニット２６は自発的に、および／または制御ユニット２によって要求されて、例えば、特別のデータラベルに基づいて認識されるレジスタメッセージをさらなる処理のために直接レジスタユニット２２に送る。信号受信モジュールが受け取ったデータはルーティングユニット２６により、制御ユニット２の構成一覧２３２にある指示に沿って処理される。
【００２９】
構成一覧２３２には、特に、通信システム１の登録されたモジュール間の相互作用を決め、ユーザによって規定できる構成パラメータが入っている。構成一覧２３２の構成パラメータを使用すれば、信号受信モジュールによって受信され、制御ユニット２に送られる信号の流れを、または信号に対応するデータの流れを、特に、適切な信号発信モジュールに合わせて、ユーザが柔軟に構成することが可能になる。ユーザは機能ユニット２７０−２７５を特殊化でき、そのユニットで信号に対応するデータが処理されたのち、そのデータは制御ユニット２から、特殊化された１つ、または複数の信号発信モジュールに送られる。ユーザは１つまたは複数の機能ユニットの機能の仕方を決める機能パラメータをも特殊化できる。機能パラメータは直接構成一覧２３２に記憶させるか、または構成一覧２３２が別々の表に記憶された機能パラメータを示す指針を含むか、いずれかが可能である。実質的に構成一覧２３２には、データ／信号源（信号受信モジュール）の１つの識別子、機能ユニット２７０−２７５の１つまたは複数の識別子、およびこれに関連する機能パラメータが含まれる。
【００３０】
特別のデータ／信号シンクとして、ユーザは構成一覧２３２の中で上述の命令ユニット２４も特殊化でき、この場合にも機能ユニット２７０−２７５およびこれに関連する機能パラメータを特殊化できるので、データは、特殊化された機能ユニット２７０−２７５の命令ユニット２４に送られる前に、特殊化された機能パラメータに基づいて処理される。
【００３１】
命令ユニット２４は、制御ユニット２で信号受信モジュールによって受け付けられ、ルーティングユニット２６から構成一覧２３２に沿って命令ユニット２４に送られたデータを調べ、このデータに命令、特にユーザ命令が入っているかどうかを調べる。命令ユニット２４がそうした命令を認識すれば、その命令ユニットは、命令に割り当てられ、定義された機能ブロック２４１−２４２の実行を準備する。機能ブロック２４１−２４２、ならびに命令へ割り当てを、構成可能にすることもできる。例えば、あらかじめ定義された機能ブロック２４１−２４２と命令への割り当てを有する記憶装置を、ユーザが入手し、制御ユニットにはめ込むか、またはロードする。または適切なマクロプログラミングツールをユーザは使用できる。
【００３２】
その他の特別のデータ／信号シンクとして、データ記憶装置をユーザは構成一覧２３２の中で特殊化できる。ただし信号受信モジュールによって受け付けられたデータが記憶されるべき場合に限られる。
【００３３】
機能ユニット２７０−２７５の例として、ここでは、合成音声とテキストデータを生成するための音声合成ユニット２７０、話されたテキストをデジタルな形で認識するための音声認識ユニット２７１、デジタルの画像データから画像オブジェクトを認識するための画像処理ユニット２７２、デジタル値を、例えば、定義されたユーザプロファイルに従って、フィルタ通しするためのデータフィルタ２７３、信号周波数フィルタ２７４、特にデジタルフィルタおよび／または信号周波数変換ユニット２７５を挙げねばならないが、これですべてではない。機能ユニット２７０−２７５は、例えば、プログラムユニットとして作られており、これは制御ユニットに記憶され、制御ユニット２のプロセッサ、特に信号処理プロセッサにおいて実行される。
【００３４】
図１に示すように、構成一覧２３２とモジュール一覧２３１は取り外し可能な記憶装置ユニット２３に、例えば、チップカードに記憶される。取り外し可能な記憶装置ユニットに、明白なユーザ識別のための手段を設けることもできる。例えば、取り外し可能な記憶装置ユニットを明白なユーザ識別子つきの識別ユニットにすることもできる。例えば、ＳＩＭ（加入者識別モジュール）カードにすることもでき、これは移動無線網でユーザを識別するためにも導入できる。ただし、構成一覧２３２とモジュール一覧２３１は、制御ユニット２に固定された記憶装置に記憶され、例えば、移動無線機器５、例えば、携帯電話のＳＩＭカード５３から機器無線インタフェース２１を経て制御ユニット２にロードされる。ただし、定義された構成一覧２３２とモジュール一覧２３１のさまざまなセットは、サービスユニット５５から移動無線網５４、移動無線機器５、および機器無線インタフェース２１を経て、制御ユニット２にロードできる。ユーザはさまざまな構成一覧２３２とモジュール一覧２３１を有するさまざまな記憶装置ユニット２３をも直接制御ユニット２にはめ込むことができる。
【００３５】
考えられる信号受信モジュールとしてここでは、光信号を受信するためのビデオセンサ６１，８４、無線信号を受信するための無線受信機３，４，５１、例えば、移動無線網５４、特にＧＳＭ網および／またはＵＭＴＳ網からの無線信号を受信するため、および／または放送システムからの無線信号、特にデジタルのプログラム付随のデータ付きの無線信号を受信するための無線受信機５１、例えば、ＤＡＢ無線受信機３４の無線信号を受信するためのＤＡＢ（デジタルオーディオ放送）無線送信機３および／またはＤＶＢ無線送信機４４の無線信号を受信するためのＤＶＢ（デジタルビデオ放送）無線受信機４、赤外線信号を受信するための赤外線受信機２５、オーディオ信号を受信するためのマイクロホン７１，８３、機械的な圧力を検出するための圧力センサ８２、ユーザの少なくとも１つの目の実際の視線を特定するための目位置特定ユニット６５、およびユーザの身体部分の実際の位置を特定するための身体位置特定ユニット８１を挙げねばならないが、これですべてではない。信号受信モジュールのその他の例として、ここでは位置特定モジュールを挙げねばならない。例えば、グローバルポジショニングシステム（ＧＰＳ）または地上位置決めシステム（ＴＰＳ）に基づく信号位置特定モジュールは、通信システム１の周辺からの信号を受信し、そこから位置データを検出し、そのデータは、例えば、制御ユニット２に送られる。通信システム１がモバイル以外でも使用される場合は、接点固定のインタフェース、および／または無接点のインタフェースを介して固定網に、例えば、公衆電話網またはＩＳＤＮ網に、または固定設置された装置に接続される信号受信モジュールも使用できる。
【００３６】
考えられる信号発信モジュールとしてここでは、ユーザのために情報を視覚的に再現するための表示ユニット６２，９３、ユーザのために情報を聴覚的に再現するための電気・音響変換機７２，９２、ユーザのために定義された事象を機械的振動を使用して知らせるための振動ユニット９１、無線送信機５２、例えば、移動無線網５４、特にＧＳＭ網および／またはＵＭＴＳ網を介する通信のための無線送信機、無線機器インタフェース、例えば、ブルートゥース・インタフェースおよび赤外線送信機２５を挙げねばならないが、これですべてではない。
【００３７】
構成一覧２３２の利用の可能性を、表１では、先に挙げた信号受信モジュール、信号発信モジュールおよび機能ユニットを例にして説明している。
表１のａ）欄は、マイクロホン８３を通して音声制御の命令を入力するための通信システム１の構成を説明する。
表１のｂ）欄は、目位置特定ユニット６５によって把握される目位置を使用して命令入力のための通信システム１の構成を示す。実際の目位置は命令ユニット２４において定義された位置と比較される。
表１のｃ）欄は、身体部分位置特定ユニット８１によって把握される身体部分を使用しての命令入力のための通信システム１の構成を示す。身体部分位置特定ユニット８１の例として、ここでは特に指、手、足、腕のための身体部分位置特定ユニットを挙げねばならない。それらのユニットは、例えば、バーチャルなリアリティのさまざまな応用領域で既知である。
【００３８】
【表１】
0004445178.tif 000002
【００３９】
表１のｄ）の欄は、ＤＡＢ無線受信機３で受信される無線プログラムの、電気・音響変換機９２、例えば、ヘッドホンへの伝送を説明しており、プログラム付随のデータは、例えば、ユーザプロフィルにおいて特殊化されているユーザ特有の興味領域に応じて、データフィルタ２７３を通る。
表１のｅ）欄は、ＤＶＢ無線受信機４で受信されるビデオプログラムの、表示ユニット９３、例えば、ＬＣＤディスプレイ、またはバーチャルな網膜の表示ユニットへの伝送を説明しており、プログラム付随のデータは、例えば、ユーザプロフィルにおいて特殊化されているユーザ特有の興味領域に応じて、データフィルタ２７３を通る。
【００４０】
表１のｆ）欄は、ビデオセンサ８４で検出される画像データが画像処理ユニット２７２において処理されることによって、ならびに生成されたテキストデータが音声合成ユニット２７０においてさらに処理されることによって、視覚補助具となる通信システム１の構成を説明している。画像処理ユニット２７２は、例えば、認識された画像オブジェクトのために、テキスト形式で符号を生成する。音声合成ユニット２７０は、キストデータから合成の音声信号を生成し、その音声信号は電気・音響変換機９２に送られる。
表１のｇ）欄は、ビデオセンサ８４で検出される画像データが信号周波数変換ユニット２７５において、例えば、赤外線光の、ユーザに見える光信号への変換に対応する変換パラメータに従って処理されることによって、視覚補助具となる通信システム１の構成を説明しており、かつ、変換された画像データの表示ユニット９３での表現を説明している。
【００４１】
表１は、本発明の通信システム１を可能にするいくつかの構成だけを説明している。構成一覧２３２で定義される特別の構成は、例えば、命令ユニット２４を経て活発化でき、その中に、命令の中に指示されている記述を活発化するように（例えば、命令―活発化―ｄ）、例えば、機能ブロック２４１−２４２の１つが置かれており、これは特に、構成一覧２３２に多くの記述が含まれるなら、有用である。その記述は部分的には矛盾している（そうでなければ矛盾した記述の際、例えば、矛盾した記述の１番目がデフォルトで活発化される）。
【００４２】
構成一覧２３２の対応する記述によって、および／または対応する機能ブロック２４１−２４２によって、データ、特に制御ユニット２から通信システム１の外の外部の（登録されていない）ユニット２８，２９にも伝送される命令またはデータが、外部ユニット２８，２９によって受け付けられ、例えば、ユーザに表示される。外部ユニット２８，２９が少なくとも一時的に制御ユニット２に登録されるように想定することも可能である。通信システム１の制御ユニット２は、外部ユニット２８，２９、例えば、家庭機器、娯楽機器、銀行自動機械、入場制御装置、および／またはユーザが言葉で制御する車椅子または車などの運送装置との相互作用を、機器無線インタフェース２１または赤外線インタフェース２５を介して操作することを可能にする。
【００４３】
通信システム１において、モジュール特有のモジュールパラメータを持つデータ記憶装置３１、４１，６４，７４（および識別ユニット５３のデータ記憶装置）を含む信号受信モジュールと信号発信モジュールは、制御ユニット２によって構成され、そのモジュールパラメータは制御ユニット２から機器無線インタフェース２１を経て関連モジュールに伝送される（モジュールパラメータは制御ユニット２によってこのデータ記憶装置で読み取り可能である）。好適には、こうした伝送は確実に行われるので、モジュールパラメータが不正に、または偶然にその他の外部の無線送信機によって変更されることはない。こうしたモジュールパラメータの例として、ここでは聴覚機器７のためのユーザ特有の聴覚パラメータ７、視覚機器６のためのユーザ特有の視覚パラメータ、識別ユニット５３のユーザ特有のデータ、または放送受信機３，４のプログラム付随のデータのフィルタ通しのためのユーザプロフィルを挙げねばならないが、これですべてではない。
【００４４】
１つまたは複数の信号受信モジュールと１つまたは複数の信号発信モジュールは、いわゆる信号変換モジュールにおいて信号処理ユニットを経て相互に接続することが可能であり、信号処理ユニットは、前に挙げた信号受信モジュールの電気信号および／または光信号を、例えば、信号変換モジュールに記憶されているモジュールパラメータに基づいて、処理し、前に挙げた信号発信モジュールに送る。信号変換モジュールの例としてここでは、上述の聴覚機器７および上述の視覚機器６を挙げねばならないが、これですべてではない。
【００４５】
視覚機器６は、画像を視覚機器６のユーザに見えるようにするバーチャルな網膜的な表示ユニット６２を含み、これは対応する画像信号をユーザの目の網膜に投射する。画像のための画像データは、適切なビデオセンサ６１、例えば、ビデオカメラ、または適切な光学要素６１によって受信され、画像データに対応する画像信号をバーチャルな網膜の表示ユニット６２は網膜に投射する。その際、画像スキャナとしてバーチャルな網膜の目表示ユニット６２が同時に使用される。超小型電子技術（ＭＥＭ）要素の使用、特に、２軸式ミラー付き超小型電子技術スキャナの使用については、直接的、網膜的な表示ユニットにおける画像信号の投射に関して、および／またはオブジェクトによって反射されるか、または放射される光の受信に関して、例えば、特許出願ＷＯ９８／１３７２０号に記載されている。ここで言及すべきことは、受信された画像データは、ユーザに見えるようになる前に、適切な画像処理手段付きの画像処理ユニット６３で、例えば、ユーザ特有の視覚パラメータに基づいて、データ記憶装置６４で、変更され、例えば、輪郭を際出させ、コントラストを強め、またはその他の画像処理がなされることである。例えば、赤外線光からユーザに見える光への変換に対応する信号周波数変換が可能である。視覚機器６の構成要素は、好適に共通のケースに統合されているか、または共通の支えに取り付けられており、このケースまたは支えを好適にユーザは通常の眼鏡のようにかけることができる。マイクロホンおよび／またはヘッドホンまたは聴覚機器のようなその他の構成要素および機器無線インタフェース２１も同様にこの共通の支えに取り付けられる。
【００４６】
画像信号を直接、観察者の網膜に投射できるバーチャルな網膜表示ユニット（Ｖｉｒｔｕａｌ  Ｒｅｔｉｎａｌ  Ｄｉｓｐｌａｙ，ＶＲＤ）は、例えば、ＷＯ９４／０９４７２号，ＷＯ９７／３７３３９号，および上記のＷＯ９８／１３７２０号に記載されていた。これらのバーチャルな表示ユニットには、ビデオインタフェースを介して画像データを、例えば、ＲＧＢ信号、ＮＴＳＣ信号、ＶＧＡ信号の形式で、またはその他のフォーマットされたカラーまたはモノクロのビデオ信号の形式で、またはグラフィック信号の形式で与えることができる。専門家は、上記特許出願ＷＯ９４／０９４７２号、およびＷＯ９７／３７３３９号に記載されたバーチャル網膜表示ユニット、またはその中に記述されているビデオインタフェースを、使用されるビデオセンサに応じて別のフォーマットの画像データをも効率的に受け付けるように適応させることは長所であると理解するだろう。インタフェースモジュール（図示せず）を使用すれば、受信された画像データも、適切にビデオインタフェースに適応させられる。または受け取った画像データを変換して、ビデオインタフェースに適応させ、バーチャルな網膜表示ユニット６２を使用してユーザに見えるようにできる。
【００４７】
図１で示すように、視覚機器６は目位置特定ユニット６５を含み、これは画像を見ているユーザの実際の目位置を特定し、機器無線インタフェース２１を経て制御ユニット２に送ることができる。ユーザの瞳孔位置に基づいて実際の目位置を特定する目位置特定ユニット（アイトラッカー）も同様に上記特許出願ＷＯ９４／０９４７２号に記載されており、専門家は、特定された目位置を機器無線インタフェース２１を経て制御ユニット２に伝送できるように発展させられる。実施形態に応じて両方の目の数値を利用することもできる。ここで述べておかねばならないことは、算定された目位置が、例えば、制御ユニット２において、把握された頭位置、または、例えば、身体部分位置特定ユニット８１によって、水平または垂直の面に関して水平な頭回転角と垂直な頭回転角として把握される頭の動きと組み合わされるので、ユーザ固有の視線が特定可能になることである。
【００４８】
目位置特定ユニット６５と共に使用される視覚機器６は、グラフィックなユーザインタフェースとして導入できる。それをユーザは目の位置決めによって制御できる。制御ユニット２は、バーチャルな網膜表示ユニット６２を経て、画像領域のＧＵＩ（Ｇｒａｐｈｉｃａｌ  Ｕｓｅｒ  Ｉｎｔｅｒｆａｃｅ）オブジェクトをユーザの網膜に投射する。例えば、規定された目位置数値に対応するいわゆる制御アイコンを投射する。実際の目位置と、規定された（命令ユニット２４にある）目位置数値とを比較することによって、ユーザが目位置決めによって入力した命令が受け付けられる。
【００４９】
上記聴覚機器７はマイクロホン７１を含み、これは信号処理ユニット７３を経て電気・音響変換機７２、例えば、ヘッドホンと接続している。信号処理ユニット７３は、マイクロホン７１が受け付けた電気信号、またはこの信号に対応するデータを、データ記憶装置７４に記憶されているユーザ特有の聴覚パラメータに基づいて処理する。
【００５０】
図１には示されていないが、ここで述べておかねばならないことは、ユーザが制御ユニット２を経て、その他の装置と通信でき、または機器無線インタフェースを設けた装置、例えば、通信網、特にインターネットに接続されている固定取り付けの通信端末および／またはパーソナルコンピュータを制御できることである。ユーザは制御ユニット２によって、特にモバイルで、インターネットにアクセスできる。例えば、制御ユニット２によって、または、例えば、移動無線機器５のモジュールの１つにおいて実行されるＷＡＰ（Ｗｉｒｅｌｅｓｓ  Ａｐｐｌｉｃａｔｉｏｎ  Ｐｒｏｔｏｃｏｌ）によって可能になる。
【００５１】
最後に述べておかねばならないが、制御ユニット２はさまざまなプログラムユニットを自由に使用できるので、さまざまなファイルフォーマット、データ伝送プロトコルおよび圧縮／解凍方法，特にマルチメディア領域の、例えば、ＭＰＥＧ標準（Ｍｏｖｉｎｇ  Ｐｉｃｔｕｒｅ  Ｅｘｐｅｒｔ  Ｇｒｏｕｐ）をサポートでき、特に、それらと互換性を持ち得る。それゆえ、さまざまなファイルフォーマット、データ伝送プロトコルおよび圧縮／解凍方法を有する信号発信・受信モジュールをルーティングユニット２６を経て接続できる。さまざまな信号発信モジュールによる同時データ入力に起因する超過ロードを防止するために制御ユニットに追加のデータバッファ記憶装置を設けることもできる。
【００５２】
本発明の制御ユニット２を基礎にした本発明の通信システム１は、ユーザがさまざまな構成要素、特にさまざまな信号受信および発信モジュールを通信システム１に追加することを、または通信システム１から取り外すことを可能にし、かつ、設定できるように制御ユニット２を経て相互に接続することを可能にする。ユーザはさまざまな信号受信モジュール、または信号発信モジュールを入力モジュールとして、または出力モジュールとして、ユーザインタフェースのために設定し、このユーザインタフェースを経てさまざまな外部装置を制御できる。構成は命令入力によりユーザインタフェースを経て行える。規定された構成は、例えば、通信網を通じて、またはデータキャリアに記憶されて、制御ユニットにもロードできる。同時にさまざまな構成を制御ユニット２に記憶することも可能であり、それはユーザによってユーザインタフェースを経て活発化できる。制御ユニット２はユーザによっても設定でき、例えば、通信網を通じて、またはデータキャリアを使用して、さまざまな処理ユニット２７０−２７５、さまざまな機能ユニット２４１−２４２、さまざまな構成一覧２３２、さまざまなモジュールモジュール一覧２３１および／またはさまざまな命令ユニット２４が制御ユニット２にロードされる。
【００５３】
ユーザが制御ユニット２を経て行う構成は、勿論訓練された正当な専門要員によっても実行できる。例えば、サービス店で、または離れた場所で電気通信回線を通じて実行できる。
【００５４】
最後に述べておかねばならないことは、通信システム１に複数の制御ユニット２を含めることも可能であり、例えば、それらの制御ユニット２の１つをコーディネートされたマスタユニットとして設定でき、モジュールパラメータおよび／または構成パラメータが別々に記憶され、および／または全体に関与する制御ユニット２に応答可能であることである。
【００５５】
＜参照符号リスト＞
１．通信システム
２．制御ユニット
３．ＤＡＶ無線受信機
４．ＤＶＢ無線受信機
５．移動無線機器
６．視覚機器
７．聴覚機器
２１．機器無線インタフェース
２２．登録ユニット
２３．取り外し可能な記憶装置ユニット
２４．命令ユニット
２５．赤外線送信機／受信機
２６．ルーティングユニット
２８，２９  外部ユニット
３１    データ記憶装置
３４    ＤＡＶ無線送信機
４１    データ記憶装置
４４    ＤＶＢ無線送信機
５１    移動無線網のための無線受信機
５２    移動無線網のための無線送信機
５３    識別ユニット
５４    移動無線網
５５    サービスユニット
６１    ビデオセンサ
６２    表示ユニット
６３    信号処理ユニット
６４    データ記憶装置
６５    目位置特定ユニット
７１    マイクロホン
７２    電気・音響変換機
７３    信号処理ユニット
７４    データ記憶装置
８１    身体部分位置特定ユニット
８２    圧力センサ
８３    マイクロホン
８４    ビデオセンサ
９１    振動ユニット
９２    電気・音響変換機
９３    表示ユニット
２３１  モジュール一覧
２３２  構成一覧
２４１，２４２  機能ブロック
２７０  音声合成ユニット
２７１  音声認識ユニット
２７２  画像処理ユニット
２７３  データフィルタ
２７４  信号周波数フィルタ
２７５  信号周波数変換ユニット
【図面の簡単な説明】
【図１】  ブロック図であり、制御ユニット、信号受信モジュール、信号発信モジュールを有する通信システムおよび通信システムの外の外部ユニットの概略図である。
【図１】
0004445178.tif 000003